【事件の表示】
　昭和６３年特許願第２０３０６９号「核磁気共鳴システム」拒絶査定に対する審判事件（平成２年５月２１日出願公開、特開平２−１３１７４６）について、次のとおり審決する。
【結論】
　本件審判の請求は、成り立たない。
【理由】
１．手続の経緯・本願発明
　本願は、昭和６３年８月１５日（英国での出願に基づくパリ条約による優先日、１９８７年８月１４日）の出願であって、その請求項１に係る発明（以下「第１発明」という。）は、平成１０年７月１７日付けで補正された明細書及び図面の記載からみて、その特許請求の範囲の請求項１に記載された次のとおりのものであると認められる。
　「ＭＲＩ装置内に位置する対象物の限定部分のスピンパラメータマップに従って画像を生成する核磁気共鳴システムであって、ａ）定常磁界を維持し、ｂ）前記限定部分を定義するスピンの薄い断面を選択するための第１の磁場勾配（Ｇｚ）が存在する状態で選択的ＲＦパルスを加え、ｃ）エコープレイナー法によって画像を取得するように変調された第２、３の磁場勾配（Ｇｘ、Ｇｙ）を加え、ｄ）前記第１の磁場勾配（Ｇｚ）の方向に空間的伸張を与えるために、第２、３の磁場勾配（Ｇｘ、Ｇｙ）が加えられている間に第１の磁場勾配（Ｇｚ）を加え、ｅ）このようにして生成された核磁気共鳴信号を検出かつ処理し、ｆ）処理信号に含まれるデータをスピンパラメータマップに従って表示する、手段を具備することを特徴とする核磁気共鳴システム。」
２．引用例
　これに対して、特許法第１６２条の規定による審査における平成９年１２月１０日付け拒絶理由通知において引用された特開昭６１−８６６４１号公報（以下「引用例」という。）には、以下の事項が記載されている。
［１］
　「本発明は、発生した一様な静磁場内に配置された検体の一部分におけるＮＭＲ（核磁気共鳴）分布を決定する方法であって、
（ａ）高周波電磁波パルスを発生して検体内の核の磁化の歳差運動を生じさせて共鳴信号を発生させるステップと、
（ｂ）準備期間後一つ（複数）の測定期間に際し傾斜静磁場及び第１の周期交番傾斜磁場を発生し、前記一つ（複数）の測定期間を多数のサンプリング時間間隔に分割して共鳴信号の多数の信号サンプルを導出するステップと、
（ｃ）待機期間後毎にステップ（ａ）及び（ｂ）を多数回くり返し、毎回準備期間の持続時間及び／又は準備期間に際して印加される少なくとも一つの傾斜磁場の準備期間にわたる積分値を相違させて一群の信号サンプルを求め、これら信号サンプルから、信号変換後に核磁化の像を決定するステップ
とを具えるＮＭＲ分布決定方法に関する。
　また本発明は、検体の一部分におけるＮＭＲ分布を決定するため
（ａ）一様な静磁場発生手段と、
（ｂ）高周波電磁放射線発生手段と、
（ｃ）傾斜静磁場発生手段と、
（ｄ）周期交番傾斜磁場発生手段と、
（ｅ）前記周期交番傾斜磁場発生手段により発生した交番傾斜磁場の存在する状態において前記一様な静磁場発生手段及び前記高周波電磁放射線発生手段により発生した共鳴信号の信号サンプルを導出するサンプリング手段と、
（ｆ）ＮＭＲ分布を得るための信号サンプルの処理を行う処理手段と、
（ｇ）少なくとも前記（ｂ）〜（ｆ）において特定された手段を制御して多数の共鳴信号を発生、条件設定及びサンプリングし、かつ信号サンプルを処理せしめる制御手段と
を具えるＮＭＲ分布決定装置に関する。
（第３頁左下欄第２行目〜同頁右下欄第１８行目）
［２］
　「本発明の目的は、比較的弱い交番傾斜磁場を使用し、ＮＭＲ分布の三次元像を形成する場合、従来のＮＭＲ分布決定方法及び装置を使用したときに得られる解像度に少なくとも等しい解像度を有する像を形成するのに要する時間を著しく減少するＮＭＲ分布決定方法及び装置を提供するにある。
　かかる目的を達成するため本発明のＮＭＲ分布決定方法は、測定期間に際し、その傾斜方向が第１の周期交番傾斜磁場の傾斜方向に垂直に延在する第２の周期交番傾斜磁場を印加することを特徴とする。」
（第４頁左下欄第２行目〜同欄第１２行目）
［３］
　「第３ａ図は第２図に示した装置１５について示した本発明による測定サイクルの一例である。高周波コイル１１を使用して、一様な静磁場Ｂｏを発生する主コイル１のスイッチオン後に９０°パルスＰ１を発生させる。その結果生じた共鳴信号Ｆ１はスピンエコー技術を用いて減衰（崩壊）させることができ、期間ｔＶ１後に高周波コイル１１により１８０°パルスＰ２を発生する。・・・ｔｖ１に等しい期間ｔｖ２後に、１８０°パルスＰ２によって発生したエコー共鳴信号Ｆ２がピーク値に達する。いわゆるスピンエコー技術（１８０°パルスＰ２）の使用により、該スピンによって発生する共鳴信号における位相誤差の発生が防止され、かかる位相誤差は定常磁場Ｂｏにおける非一様性によって生じる。エコー共鳴信号は、実線Ｇ２及びＧ４でそれぞれ示した交番傾斜磁場の存在する状態においてサンプリング時間間隔ｔｍ（図示せず）後毎にサンプリングされる。
　傾斜磁場Ｇｚ中の点ｚにおける磁化の位相角が∫ｔｒ・Ｇｚ・ｚ・ｄτによって決まることは既知である。従って、像周波数ｋｚはｋｚ＝γ・∫ｔＧｚ・ｄτとして定義できる。従って各サンプリング周期ｔｍ後に、異なる像周波数ｋｚに関連する信号サンプルが決定される。順次の像周波数は像周波数差Δｋｚ＝γ・∫ｔｍＧｚ・ｄτを示す。交番傾斜磁場が印加された場合、２つの限界値ｋｘｉ及びγ・∫ｔｘ／２Ｇ２・ｄτ＋ｋｘｉの間に位置する像周波数に関連する信号サンプルが得られることは明らかである。従って高速交番Ｇｘ傾斜磁場Ｇ２が緩慢な交番Ｇｙ傾斜磁場Ｇ４上に重畳される。このＧｙ傾斜磁場Ｇ４が存在し、かつ一定のＧｘ傾斜磁場（図示せず）も存在している場合、導出すべき順次のサンプルは像周波数（ｋｙ、ｋｚ）に関連し、その場合ｋｙは第３ｂ図において直線１によって示した２つの限界値の間で変化する。交番Ｇｙ傾斜磁場と、交番Ｇｘ傾斜磁場と、一定のＧｚ傾斜磁場とを印加した場合、測定期間ＭＴ中に導出すべき信号サンプルが位置する通路Ｓはあたかも直線１を通りかつｋｘの２つ限界値ｋｘｉ及びｋｘｉ＋γ∫ｔｘ／２Ｇ２・ｄτによって決まる幅を有する帯状面Ｌの如き形状となる。この方法ではＦＩＤ信号に際し自由度３（スペクトロスコピー（分光学）に対しては（ｋｘ、ｋｙ、ｋｚ）又は（ｋｘ、ｋｙ、ｔ））でサンプリングが行われるから、ＦＩＤ信号当たりに一層多くの信号サンプリングを導出できるので、３元（又は４元）マトリックスを信号サンプルで満たすための全測定期間が大幅に短縮される。」（第６頁左下欄第７行目〜第７頁右上欄第４行目）
　すなわち、引用例には、
　「発生した一様な静磁場内に配置された検体の一部分におけるＮＭＲ（核磁気共鳴）分布の三次元像を決定する装置において、
　一様な静磁場Ｂｏを発生する主コイル１のスイッチオン後に９０°パルスＰ１を発生させ、高速交番Ｇｘ傾斜磁場Ｇ２が緩慢な交番Ｇｙ傾斜磁場Ｇ４上に重畳され、交番Ｇｙ傾斜磁場と、交番Ｇｘ傾斜磁場と、一定のＧｚ傾斜磁場とを印加した場合、測定期間ＭＴ中にエコー共鳴信号がサンプリングされ、自由度３（スペクトロスコピー（分光学）に対しては（ｋｘ、ｋｙ、ｋｚ）又は（ｋｘ、ｋｙ、ｔ））でサンプリングが行われるから、ＦＩＤ信号当たりに一層多くの信号サンプリングを導出できるので、３元（又は４元）マトリックスを信号サンプルで満たすための全測定期間が大幅に短縮されるところの、
　（ａ）一様な静磁場発生手段と、
　（ｂ）高周波電磁放射線発生手段と、
　（ｃ）傾斜静磁場発生手段と、
　（ｄ）周期交番傾斜磁場発生手段と、
　（ｅ）前記周期交番傾斜磁場発生手段により発生した交番傾斜磁場の存在する状態において前記一様な静磁場発生手段及び前記高周波電磁放射線発生手段により発生した共鳴信号の信号サンプルを導出するサンプリング手段と、
　（ｆ）ＮＭＲ分布を得るための信号サンプルの処理を行う処理手段と、
　（ｇ）少なくとも前記（ｂ）〜（ｆ）において特定された手段を制御して多数の共鳴信号を発生、条件設定及びサンプリングし、かつ信号サンプルを処理せしめる制御手段と
を具えるＮＭＲ分布決定装置。」
なる発明が記載されている。
３．対比
　第１発明と引用例に記載された発明とを対比すると、引用例に記載された発明における
▲１▼「発生した一様な静磁場内に配置された検体の一部分」、
▲２▼「（ｋｘ、ｋｙ、ｋｚ）又は（ｋｘ、ｋｙ、ｔ））でサンプリング」した「ＮＭＲ（核磁気共鳴）分布」、
▲３▼「一様な静磁場Ｂｏ」、
▲４▼「９０°パルスＰ１」、
▲５▼「交番Ｇｘ傾斜磁場、交番Ｇｙ傾斜磁場」
は、それぞれ第１発明における
▲１▼「ＭＲＩ装置内に位置する対象物の限定部分」、
▲２▼「スピンパラメータマップ」、
▲３▼「定常磁界」、
▲４▼「選択的ＲＦパルス」、
▲５▼「変調された第２、３の磁場勾配（Ｇｘ、Ｇｙ）」
に相当する。
　また、引用例に記載された発明においても、交番Ｇｙ傾斜磁場と、交番Ｇｘ傾斜磁場と、一定のＧｚ傾斜磁場とが印加されている、すなわち第２、３の磁場勾配（Ｇｘ、Ｇｙ）が加えられている間に第１の磁場勾配（Ｇｚ）を加えているから、磁場勾配（Ｇｚ）の方向に、スピンの空間的なコーディング（平成１０年７月１７日付けで請求人が提出した意見書における「空間的伸張（ｓｐａｃｉａｌ　ｅｎｃｏｄｉｎｇ）」に相当する。）が生じている。
　さらに、引用例の装置を示すブロック図（第２図）には、「（ｂ）〜（ｆ）において特定された手段を制御して多数の共鳴信号を発生、条件設定及びサンプリングし、かつ信号サンプルを処理せしめる制御手段」及び表示装置４３が示されているから、引用例のものにおいても、「生成された、磁気共鳴信号を検出かつ処理し、処理信号に含まれるデータを、ＮＭＲ分布として表示する手段」を備えている。
　なお、引用例のものも、「エコー共鳴信号は、実線Ｇ２及びＧ４でそれぞれ示した交番傾斜磁場の存在する状態において」サンプリングされるから、ＮＭＲ映像法におけるエコープレイナー法に属するものである。
　してみると、両者は、「ＭＲＩ装置内に位置する対象物の限定部分のスピンパラメータマップに従って画像を生成する核磁気共鳴装置であって、ａ）定常磁界を維持し、ｂ）選択的ＲＦパルスを加え、ｃ）エコープレイナー法によって画像を取得するように変調された第２、３の磁場勾配（Ｇｘ、Ｇｙ）を加え、ｄ）第１の磁場勾配（Ｇｚ）の方向に空間的伸張のために、第２、３の磁場勾配（Ｇｘ、Ｇｙ）を加えられている間に第１の磁場勾配（Ｇｚ）を加え、ｅ）このようにして生成された、磁気共鳴信号を検出かつ処理し、ｆ）処理信号に含まれるデータをスピンパラメータマップに従って表示する、手段を具備することを特徴とする核磁気共鳴システム。」の点で一致し、以下の［相違点１］及び［相違点２］の点で両者は相違する。
［相違点１］
　第１発明は、「第１の磁場勾配（Ｇｚ）が存在する状態で選択的ＲＦパルスを加え」たのに対して、引用例の発明では、核の磁化の歳差運動を生じさせる高周波電磁波パルスを加える時、第１の磁場勾配（Ｇｚ）が存在しない点。
［相違点２］
　第１発明は１８０°パルスを印加することについて明示していないのに対して引用例の発明の実施例（前記［３］参照）では「期間ｔＶ１後に高周波コイル１１により１８０°パルスＰ２を発生する。・・・ｔｖ１に等しい期間ｔｖ２後に、１８０°パルスＰ２によって発生したエコー共鳴信号Ｆ２がピーク値に達する。いわゆるスピンエコー技術（１８０°パルスＰ２）の使用により、該スピンによって発生する共鳴信号における位相誤差の発生が防止され、かかる位相誤差は定常磁場Ｂｏにおける非一様性によって生じる。」としている点で相違する。
４．当審の判断
　まず、［相違点１］について検討するに、核磁気共鳴信号を得て、それ表示するシステムにおいて、検体の特定のｘｙ平面のスライスを行うために、第１の磁場勾配（Ｇｚ）が存在する状態で選択的ＲＦパルスを加えることは、原審の平成８年８月２８日付け拒絶理由通知書にて指摘した特開昭６１−１３１４３号公報、特開昭６１−２３４３４２号公報、特開昭６２−８８９４９号公報にも示されているように、この出願前に周知の事項である。従って、検体の特定のｘｙ平面のスライスを行うために、第１の磁場勾配（Ｇｚ）を存在させることは、当業者が格別困難なく想到できた事項である。
　次に，［相違点２］について検討するに、引用例の実施例において「１８０°パルスＰ２」は、定常磁場の非一様性によって生じる位相誤差を防止するためのものであって、「１８０°パルスＰ２」の印加を省略することは当業者が格別困難なく想到できる事項である。
　そして、前記［相違点１］及び［相違点２］での第１発明の構成によってもたらされる効果は、引用例及び周知の事項から予測される範囲のものである。
５．むすび
　したがって、第１発明は引用例に記載された発明及び周知の事項に基づいて当業者が容易に発明できたものであるから、特許法第２９条第２項の規定より特許を受けることができない。
　よって、他の請求項に係る発明を検討するまでもなく、本願は拒絶すべきものであるから、結論のとおり審決する。